(57)【要約】      （修正有）【課題】円形ピアやマンホールを構築するためのコンクリート打設用の円形鋼製型枠と併用でき、コンクリート投入空間内の打設状況を視認できる透明円形型枠を提供する。【解決手段】円形鋼製型枠は、スチール、ステンレス、アルミ等の材質による堰板とこれに溶接し補強するリブ５、６により構成されるが、透明円形型枠は、円形鋼製型枠の堰板を適当な間隔で矩形に切り抜き、格子状に成形し、これを補強するリブを溶接し一体化した骨組み２と、この格子部にリベットで固定される繊維強化プラスチック、アクリル樹脂等を材質とした透明な堰板８から構成される。【選択図】図１
0003181841.tif 000002
【実用新案登録請求の範囲】
【請求項１】
従来のコンクリート打設用の円形鋼製型枠と併用できる透明円形型枠であって、
前記円形鋼製型枠の堰板をあらかじめ決められた適当な間隔で矩形に切り抜き、格子状鋼板に成形し、前記格子状鋼板を補強するリブを前記格子状鋼板の外縁４辺に溶接し一体化させるとともに、前記円形鋼製型枠と連結するための連結用穴が、前記格子状鋼板の外縁４辺のリブに設けられた骨組みを有する
透明円形型枠。
【請求項２】
請求項１に記載の透明円形型枠において、
繊維強化プラスチックあるいはアクリル樹脂を材質とした透明な堰板が、前記骨組みに対してリベットで固定されている
透明円形型枠。
【考案の詳細な説明】
【技術分野】
【０００１】
本考案は、円形ピアやマンホールを構築するための従来のコンクリート打設用の円形鋼製型枠と併用でき、コンクリート投入空間内の打設状況を視認できる透明円形型枠に関する。
【背景技術】
【０００２】
図４は、従来のコンクリート打設用の円形鋼製型枠の一例を示した斜視図である。この図４に示した従来のコンクリート打設用の円形鋼製型枠１００は、鋼製の堰板１０３と、これを補強する直線リブ１０１およびＲリブ１０２により構成され、溶接で一体化されている。また、型枠の外縁の４辺のリブには、連結用のＵクリップ挿入穴１０４が設けられている。
【０００３】
なお、図４は、円柱ピア用の従来の円形鋼製型枠形状の一例を示した斜視図であり、堰板１０３は、凹面側に貼り付けられるが、マンホール用は、これと逆の凸面側に貼り付けられる。
【０００４】
図５は、円柱ピア用の従来の円形鋼製型枠の構築の一例を示した斜視図である。型枠１００は、構築物の曲率と同様の規格が使用され、円周に応じて分割がなされている。そして、図５に示すように、型枠の外縁の４辺のリブに設けられた連結用のＵクリップ挿入穴１０４に、Ｕクリップ１０５を差し込み、分割された型枠を縦、横に繋ぎ合わせることで、コンクリート投入空間１０６が形成された円形鋼製型枠１００が構築される。
【０００５】
円形鋼製型枠１００は、組立が簡単で施工精度が高いことから、これまで多くの現場で使用されている。しかしながら、堰板１０３が不透明であるため、コンクリート投入空間１０６内が全く見えず、打設時におけるコンクリートの充填状況の確認等ができない。このため、出来上がりに不備が生ずることもしばしば発生し、作業員の経験、感に頼らざるを得ないといった問題を有していた。
【考案の概要】
【考案が解決しようとする課題】
【０００６】
本考案は、前記のような課題を解決するためになされたものであり、円形ピアやマンホールを構築するための従来のコンクリート打設用の円形鋼製型枠と併用でき、作業員の経験、感に頼ることなく、コンクリート投入空間内の打設状況を視認できる透明円形型枠を得ることを目的とする。
【課題を解決するための手段】
【０００７】
本考案に係る透明円形型枠は、従来のコンクリート打設用の円形鋼製型枠と併用できる透明円形型枠であって、円形鋼製型枠の堰板をあらかじめ決められた適当な間隔で矩形に切り抜き、格子状鋼板に成形し、格子状鋼板を補強するリブを格子状鋼板の外縁４辺に溶接し一体化させるとともに、円形鋼製型枠と連結するための連結用穴が、格子状鋼板の外縁４辺のリブに設けられた骨組みを有するものである。
【考案の効果】
【０００８】
本考案によれば、透明堰板が貼り付けられた透明円形型枠を、従来と同様のＵクリップを用いて、適切な箇所に容易に組み付けて、円形鋼製型枠を構築することにより、円形ピアやマンホールを構築するための従来のコンクリート打設用の円形鋼製型枠と併用でき、作業員の経験、感に頼ることなく、コンクリート投入空間内の打設状況を視認できる透明円形型枠を得ることができる。
【図面の簡単な説明】
【０００９】
【図１】本考案の実施の形態１における透明円形型枠の構造を示した斜視図である。
【図２】本考案の実施の形態１における透明円形型枠の形状の一例を示した斜視図である。
【図３】本考案の実施の形態１における透明円形型枠の構築の一例を示した斜視図である。
【図４】従来のコンクリート打設用の円形鋼製型枠の一例を示した斜視図である。
【図５】円柱ピア用の従来の円形鋼製型枠の構築の一例を示した斜視図である。
【考案を実施するための形態】
【００１０】
以下、本考案の透明型枠の好適な実施の形態につき図面を用いて説明する。
【００１１】
実施の形態１．
図１は、本考案の実施の形態１における透明円形型枠の構造を示した斜視図である。また、図２は、本考案の実施の形態１における透明円形型枠の形状の一例を示した斜視図である。本実施の形態１における透明円形型枠の骨組み２は、図１に示すように、円形鋼製型枠の堰板を適当な間隔で矩形部４として切り抜き、格子状鋼板３に成形される。
【００１２】
そして、格子状鋼板３に対して、Ｒリブ５、直線リブ６を補強のために溶接し、一体化させる。さらに、従来の円形鋼製型枠に対して、Ｕクリップで簡単に連結し併用できるように、外縁４辺のリブには、Ｕクリップ挿入穴７が設けられている。
【００１３】
そして、この骨組み２の格子状鋼板３および透明堰板８の所定の箇所にリベット挿入穴９、１０をあけ、これらを重ね合わせ、リベット１１をこの穴に挿入し固定する。
【００１４】
本実施の形態１における透明円形型枠の仕上がり形状は、図２に示す通りであるが、これは、円柱ピア用の一例を示したものであり、透明堰板８は、凹面側に貼り付けられるが、マンホール用は、これと逆の凸面側に貼り付けられる。
【００１５】
図３は、本考案の実施の形態１における透明円形型枠の構築の一例を示した斜視図である。本実施の形態１における透明円形型枠１も、先の図５に示した従来の円形鋼製型枠１００と同様に、築造物の曲率と同様の規格が使用され、円周に応じて分割がなされている。そして、図３に示すように、型枠の外縁の４辺のリブに設けられた連結用のＵクリップ挿入穴７に、Ｕクリップ１０５を差し込み、分割された型枠を縦、横に繋ぎ合わせることで、コンクリート投入空間１０６が形成された円形鋼製型枠が構築される。なお、図３は、円柱ピア用の型枠構築の一例を示している。
【００１６】
以上のように、本実施の形態１によれば、透明堰板が貼り付けられた透明円形型枠を、従来と同様のＵクリップを用いて、適切な箇所に容易に組み付けて、円形鋼製型枠を構築することができる。このような構成により、円形ピアやマンホールを構築するための従来のコンクリート打設用の円形鋼製型枠と併用できるとともに、コンクリート投入空間内の打設状況を視認できる。この結果、作業員の経験、感に頼ることなく、コンクリートの投入状態を一定品質に維持することが可能となる。
【符号の説明】
【００１７】
１  透明円形型枠、２  透明円形型枠の骨組み、３  矩形に切り抜きされた格子状鋼板、４  切抜きされる矩形部、５  透明円形型枠のＲリブ、６  透明円形型枠の直線リブ、７  透明円形型枠のＵクリップ挿入穴（連結用穴）、８  透明円形型枠の堰板、９  格子状鋼板のリベット挿入穴、１０  透明円形型枠堰板のリベット挿入穴。
【図１】
0003181841.tif 000003
【図２】
0003181841.tif 000004
【図３】
0003181841.tif 000005
【図４】
0003181841.tif 000006
【図５】
0003181841.tif 000007